(57)【特許請求の範囲】
【請求項１】
車の振動量及び振動方向を計測する振動計測手段と、
道路地図の表示エリア、手書き入力エリア、及び、該手書き入力エリアから入力された手書き文字に基づき抽出された１つ以上の候補文字を表示する候補文字表示エリアを表示画面に表示する表示部と、
前記振動量及び前記振動方向に応じて前記手書き入力エリアを拡大し、或いは前記手書き入力エリアの位置を移動させる信号を生成する手書き入力エリア拡大・移動信号生成部とを有することを特徴とする車載用ナビゲーション装置。
【請求項２】
基準振動量を記憶する記憶部と、前記計測された振動量を前記基準振動量と比較する振動量比較部とを有し、
前記手書き入力エリア拡大・移動信号生成部は、前記振動量が前記基準振動量を超えたときに、前記手書き入力エリアを拡大し、或いは前記手書き入力エリアの位置を移動させる信号を生成することを特徴とする請求項１記載の車載用ナビゲーション装置。
【請求項３】
複数の基準振動量を記憶する記憶部と、前記計測された振動量を前記複数の基準振動量と比較する振動量比較部とを有し、
前記手書き入力エリア拡大・移動信号生成部は、前記振動量がいずれかの前記基準振動量を超えたときに、該基準振動量に応じて前記手書き入力エリアを拡大する幅、又は前記手書き入力エリアの位置を移動させる距離を設定する信号を生成することを特徴とする請求項１記載の車載用ナビゲーション装置。
【請求項４】
前記手書き文字に対応する１つ以上の候補文字を抽出し、該抽出した候補文字信号を前記候補文字表示エリアに出力する候補文字抽出部を有することを特徴とする請求項１記載の車載用ナビゲーション装置。
【請求項５】
前記拡大した前記手書き入力エリアを拡大前の大きさに縮小し、或いは移動させた前記手書き入力エリアを移動前の位置に復帰させる手書き入力エリア縮小・復帰信号生成部を有することを特徴とする請求項１記載の車載用ナビゲーション装置。
【請求項６】
道路地図の表示エリア、手書き入力アリア、及び、該手書き入力エリアから入力された手書き文字に基づき抽出された１つ以上の候補文字を表示する候補文字表示エリアを表示画面に表示する表示部を備えた車載用ナビゲーション装置の手書き入力方法であって、
車の振動量及び振動方向を計測し、
前記振動量及び前記振動方向に応じて前記手書き入力エリアを拡大し、又は前記手書き入力エリアの位置を移動させて、前記手書き入力エリアに手書き文字を書き込むことを特徴とする車載用ナビゲーション装置の手書き入力方法。
【請求項７】
前記車の進行方向に対して横方向の振動及び縦方向の振動が計測されたとき、前記横方向の振動量に応じて前記横方向に前記手書き入力エリアを拡大するとともに、前記縦方向の振動量に応じて前記縦方向にも前記手書き入力エリアを拡大することを特徴とする請求項６記載の車載用ナビゲーション装置の手書き入力方法。
【請求項８】
前記振動量が予め設定された基準振動量を超えたときに、前記手書き入力エリアを拡大し、或いは前記手書き入力エリアの位置を移動させることを特徴とする請求項６又は７のいずれか１項に記載の車載用ナビゲーション装置の手書き入力方法。
【請求項９】
前記基準振動量は複数設定され、前記振動量がいずれかの前記基準振動量を超えたときに、該基準振動量に応じて前記手書き入力エリアを拡大する幅、又は前記手書き入力エリアの位置を移動させる距離を設定することを特徴とする請求項８記載の車載用ナビゲーション装置の手書き入力方法。
【発明の詳細な説明】
【技術分野】
【０００１】
本発明は、表示パネル（表示部）の手書き入力エリアに目的地、目的地に至るまでに通る道路名又は経由地などを手書き入力する車載用ナビゲーション装置及び車載用ナビゲーション装置の手書き入力方法に関する。
【背景技術】
【０００２】
従来の典型的な車載用ナビゲーション装置では、地図データ上での自車位置、及び、自車が目的地に行き着くための誘導経路が表示パネルに表示される。
【０００３】
これらの機能を行うため、車載用ナビゲーション装置では、一般に、道路の分岐点をノード、また、ノードを連結する道路を道路リンクと定義し、ノード及び道路リンクの集合体を地図データとして記憶している。
【０００４】
車載用ナビゲーション装置は、運転者等に、手書き入力が可能な表示パネルから目的地、及び目的地までに経由する道路名や経由地を入力させ、上述の地図データに基づいて誘導経路を作成する。そして、入力した道路名や経由地を含む地図を表示して、目的地への誘導が行われる。
【０００５】
なお、一般的な手書き入力が可能な表示パネルは、次の先行技術文献に提案されている。
【先行技術文献】
【特許文献】
【０００６】
【特許文献１】特開２００９−２２３４３０号公報
【特許文献２】特開平５−１４３７７０号公報
【特許文献３】特開平６−２６６９０１号公報
【発明の概要】
【発明が解決しようとする課題】
【０００７】
ところで、表示パネルに手書きで文字を入力する場合、車が停車しているときには、手書き入力エリアからはみ出さないように文字を書き込めるが、車が動いているときには、車が左右或いは上下に振動することがあり、そのようなときには、手書き入力エリアから手書き文字の一部がはみ出してしまう。これでは、手書き文字が正確に認識されないことになる。また、入力を何回も繰り返すことになり、迅速に設定を行えない。
【０００８】
これを防止するため、当初から手書き入力エリアを広く設定することが考えられるが、その場合、表示パネル上の地図や候補文字の表示が手書き入力エリアに隠れてしまい、誘導経路の把握や候補文字の選択ができなくなってしまう。
【０００９】
本発明は、かかる課題に鑑み創作されたもので、車が振動した場合でも、表示部の手書き入力エリアから手書き文字が極力はみ出さないように手書き入力エリアに文字を書き込むことができる車載用ナビゲーション装置及び車載用ナビゲーション装置の手書き入力方法を提供するものである。
【課題を解決するための手段】
【００１０】
上述した課題を解決するために、本発明の基本形態によれば、車の振動量及び振動方向を計測する振動計測手段と、道路地図の表示エリア、手書き入力エリア、及び、該手書き入力エリアから入力された手書き文字に基づき抽出された１つ以上の候補文字を表示する候補文字表示エリアを表示画面に表示する表示部と、前記振動量及び前記振動方向に応じて前記手書き入力エリアを拡大し、或いは前記手書き入力エリアの位置を移動させる信号を生成する手書き入力エリア拡大・移動信号生成部とを有することを特徴とする車載用ナビゲーション装置が提供される。
【００１１】
この形態に係る車載用ナビゲーション装置においては、基準振動量を記憶する記憶部と、前記計測された振動量を前記基準振動量と比較する振動量比較部とを有し、前記手書き入力エリア拡大・移動信号生成部は、前記振動量が前記基準振動量を超えたときに、前記手書き入力エリアを拡大し、或いは前記手書き入力エリアの位置を移動させる信号を生成するようにしてもよく、複数の基準振動量を記憶する記憶部と、前記計測された振動量を前記複数の基準振動量と比較する振動量比較部とを有し、前記手書き入力エリア拡大・移動信号生成部は、前記振動量がいずれかの前記基準振動量を超えたときに、該基準振動量に応じて前記手書き入力エリアを拡大する幅、又は前記手書き入力エリアの位置を移動させる距離を設定する信号を生成するようにしてもよい。
【００１２】
また、前記手書き文字に対応する１つ以上の候補文字を抽出し、該抽出した候補文字信号を前記候補文字表示エリアに出力する候補文字抽出部を有するようにしてもよく、前記拡大した前記手書き入力エリアを拡大前の大きさに縮小し、或いは移動させた前記手書き入力エリアを移動前の位置に復帰させる手書き入力エリア縮小・復帰信号生成部を有するようにしてもよい。
【００１３】
本発明の他の形態によれば、道路地図の表示エリア、手書き入力アリア、及び、該手書き入力エリアから入力された手書き文字に基づき抽出された１つ以上の候補文字を表示する候補文字表示エリアを表示画面に表示する表示部を備えた車載用ナビゲーション装置の手書き入力方法であって、車の振動量及び振動方向を計測し、前記振動量及び前記振動方向に応じて前記手書き入力エリアを拡大し、又は前記手書き入力エリアの位置を移動させて、前記手書き入力エリアに手書き文字を書き込むことを特徴とする車載用ナビゲーション装置の手書き入力方法が提供される。
【００１４】
また、車載用ナビゲーション装置の手書き入力方法においては、前記車の進行方向に対して横方向の振動及び縦方向の振動が計測されたとき、前記横方向の振動量に応じて前記横方向に前記手書き入力エリアを拡大するとともに、前記縦方向の振動量に応じて前記縦方向にも前記手書き入力エリアを拡大するようにしてもよい。
また、前記振動量が予め設定された基準振動量を超えたときに、前記手書き入力エリアを拡大し、或いは前記手書き入力エリアの位置を移動させるようにしてもよく、前記基準振動量は複数設定され、前記振動量がいずれかの前記基準振動量を超えたときに、該基準振動量に応じて前記手書き入力エリアを拡大する幅、又は前記手書き入力エリアの位置を移動させる距離を設定するようにしてもよい。
【発明の効果】
【００１５】
本発明の車載用ナビゲーション装置及び車載用ナビゲーション装置の手書き入力方法によれば、表示部の手書き入力エリアに手書きで目的地、及び目的地までに経由する道路名や経由地等を入力する際に、車が振動したとき、振動量及び振動方向に応じて手書き入力エリアを拡大し、或いは移動させている。これにより、手書き文字が入力エリアからはみ出さないようにし、車載用ナビゲーション装置に手書き文字情報を正確に入力し、目的地などを迅速に設定することができる。
【図面の簡単な説明】
【００１６】
【図１】本発明の実施形態に係る車載用ナビゲーション装置の構成の一例を示すブロック図である。
【図２】図１の車載用ナビゲーション装置において手書き入力処理を行う主要な構成部分の一例を示すブロック図である。
【図３】図１の車載用ナビゲーション装置において行う手書き入力処理の一例を示すフローチャートである。
【図４】図３の手書き入力処理における入力エリアの拡大又は移動処理の一例を示す表である。
【図５】図３の手書き入力処理における入力エリアの拡大処理に係る表示画面の一例を示す図である。
【図６】一定の大きさの手書き入力エリアに対して行った手書き入力処理に係る表示画面の一例を示す図である。
【発明を実施するための形態】
【００１７】
以下、本発明の実施の形態について、添付の図面を参照して説明する。
【００１８】
（車載用ナビゲーション装置の構成）
図１は、本発明の一実施形態に係る車載用ナビゲーション装置の構成を示すブロック図である。
【００１９】
図中、１は、ＤＶＤ−ＲＯＭドライブであり、１ａは地図データその他の案内データが記憶されている記憶媒体である。本実施形態では、このようなデータを記憶する記憶媒体としてＤＶＤ−ＲＯＭ１ａを使用しているが、ハードディスク又はその他の記憶媒体を使用してもよい。ここに格納されている地図は、１／１２５００、１／２５０００、１／５００００、１／１０００００等の各縮尺レベルに応じて適当な大きさの経度幅及び緯度幅に区切られており、この地図に含まれる道路、建築物、施設その他の各種物件は、経度及び緯度で表現された点（ノード）の座標集合として記憶されている。地図データは、（１）道路リンクデータ、交差点データ、ノードデータ等からなる道路レイヤ、（２）地図画像上に道路、建築物、公園、河川等を表示するための背景レイヤ、（３）市町村名などの行政区画名、道路名、交差点名などを指示する文字や地図記号等を表示するための文字・記号レイヤなどから構成されている。
【００２０】
道路レイヤにおいて、道路リンクデータは各道路の属性情報を供給するものであり、道路を構成するリンク毎に道路の種別（国道、高速道路、都道府県道、その他の道路）、道路ネットワークの階層化レベル、リンクを構成するノードの数、道路番号（道路名称）、各ノードを接続するリンクの幅などのデータで構成される。交差点データは、交差点に結合されたリンク上のノードのうち交差点に最も近いノードのセットである。ノードデータは、道路を構成するすべてのノードのリストであり、各ノードに対する位置情報やノードが交差点か交差点でないかを識別する情報等で構成される。
【００２１】
２は、後述するナビゲーション装置本体１０を操作するための操作部である。例えば、リモコン送信機が含まれており、ユーザは手元のリモコン送信機でナビゲーション装置本体１０を操作することもできる。
【００２２】
３は複数のＧＰＳ(Global Positioning System)衛星から送られてくるＧＰＳ信号を受信して自車の現在位置の経度、緯度、ＰＤＯＰ(Position DOP)値及びＨＤＯＰ(Horizontal DOP)値等のＧＰＳデータを生成して出力するＧＰＳ受信機を示す。
【００２３】
４は自立航法センサを示す。この自立航法センサ４は、自車の進行方向を計測するためのジャイロ等の角度センサ又は加速度センサと、走行距離を計測するため、一定の走行距離毎にパルスを発生する距離センサとにより構成されている。ジャイロ等の角度センサ又は加速度センサは、自車の進行方向を計測するほかに、車が振動したときに後述する手書き入力エリアを拡大し又は移動させるため、車の左向き、右向き、上向き、又は下向きの振動方向及びその振動量を計測する。
【００２４】
５は各種のサービスセンタと通信するための車載電話機等の通信機、６は電波ビーコン又は光ビーコンから送られてくるＶＩＣＳ（道路交通情報通信システム）情報を受信するＶＩＣＳ受信機を示す。これらのビーコンは路側に設置され、警察署、道路管理者及び統合センターに接続され、周辺の渋滞情報等を提供する。
【００２５】
７は液晶表示パネル等の表示部であり、ナビゲーション装置本体１０は、この表示部７に車両の現在位置の周囲の地図を表示したり、出発地から目的地までの誘導経路や車両マーク及びその他の案内情報を表示する。
【００２６】
また、表示部７には、その画面上にタッチパネルが設けられ、表示画面の表示内容と対になった各種のボタンが構成される。また、タッチパネルはこれらの各種のボタンで示されるメニュー等を選択するための入力装置となり、ユーザが指等で触れた接触位置に応じた信号を出力する。さらに、タッチパネルには、図６（ａ）に示すように、目的地、及び目的地までに経由する道路名や経由地等をペンタブレットなどで手書き入力可能な手書き入力エリアが、候補文字表示エリアとともに表示される。候補文字表示エリアでは手書き文字に基づき抽出された１つ以上の候補文字が表示され、これによって、手書き文字を入力しつつ、候補文字表示エリアから手書き文字に対応する正確な文字を選択することができる。道路地図の表示エリア、手書き入力エリア及び候補文字表示エリアは、表示部７の表示画面に同時に表示可能である。
【００２７】
８は音声によりユーザに案内情報を提供するためのスピーカーである。
【００２８】
ナビゲーション装置本体１０は以下のものから構成されている。
【００２９】
１１はＤＶＤ−ＲＯＭドライブ１を介してＤＶＤ−ＲＯＭ１ａから読み出された地図データを一時的に格納するバッファメモリである。
【００３０】
１２はマイクロコンピュータ等により構成される制御部を示す。制御部１２は、ナビゲーション用のプログラムを内蔵しており、このプログラムに従い、ＧＰＳ受信機３から出力される信号や、自立航法センサ４から出力される信号に基づいて自車の現在位置を算出したり、表示させたい地図のデータをＤＶＤ−ＲＯＭドライブ１を介してＤＶＤ−ＲＯＭ１ａからバッファメモリ１１に読み出したり、バッファメモリ１１に読み出された地図データを用いて設定された探索条件で出発地（自車の現在位置）から目的地までの誘導経路を探索するなど、ナビゲーションに係る種々の処理を実行する。
【００３１】
また、制御部１２は、手書き入力情報を処理するプログラムを内蔵しており、図２に示すように、振動量比較部２３と、手書き入力エリア拡大・移動信号生成部２４と、手書き入力エリア縮小・復帰信号生成部２５と、文字情報取得部２６と、候補文字抽出部２７とを介して、車の振動量及び振動方向に応じて手書き入力エリアを拡大し、又は移動させて手書き入力を行う処理を実行する。振動量比較部２３では、計測された振動量を予め設定された基準振動量と比較する。基準振動量は、１つ又は異なる値で複数設定され、計測された振動量と対比することで、振動量に応じて手書き入力エリアを拡大する幅、又は手書き入力エリアを移動させる距離を設定する。手書き入力エリア拡大・移動信号生成部２４では、表示部７に表示される手書き入力エリアを、計測された振動量及び振動方向に応じて左右及び上下の少なくともいずれかの方向に所定の幅拡大し、又は所定の距離移動させる信号を出力する。振動量に対応して拡大幅又は移動距離が決定され、振動方向に対応して拡大又は移動の方向が決定される。手書き入力エリア縮小・復帰信号生成部２５では、拡大し又は移動させた手書き入力エリアを拡大又は移動前の状態に戻す信号を出力する。文字情報取得部２６では、表示部７の手書き入力エリアから文字情報を取得する。候補文字抽出部２７では、文字情報取得部から出力された文字情報を基に後述の文字情報記憶部を参照し、１以上の候補文字を抽出する。
【００３２】
さらに、制御部１２は、図２に示すように、表示制御部２８を有し、表示制御部２８は、ナビゲーションや手書き入力における各種処理に関係して必要となる表示を制御する。
【００３３】
１３はバッファメモリ１１に読み出された地図データを用いて地図画像の描画処理を行う地図描画部であり、１４は動作状況に応じて各種メニュー画面（操作画面）及び車両位置マーク、カーソル等の各種マークを生成する操作画面・マーク発生部である。
【００３４】
１５は制御部１２で探索した誘導経路を記憶する誘導経路記憶部を示し、１６は誘導経路描画部を示す。誘導経路記憶部１５には、制御部１２によって探索された誘導経路の全ノードが出発地から目的地まで記憶される。誘導経路描画部１６は、地図を表示する際に、誘導経路記憶部１５から誘導経路情報を読み出して、当該誘導経路を他の道路とは異なる表示態様（色を変える、線幅を太くするなど）で描画する機能を有している。
【００３５】
１７はハードディスク等で構成される記憶部を示し、図２に示すように、基準振動量記憶部２１や文字情報記憶部２２を有する。基準振動量記憶部２１では、上述した基準振動量を記憶する。文字情報記憶部２２では、文字の外形の特徴などに対応付けて手書き文字を認識するための情報を記憶する。
【００３６】
１８は音声出力部を示し、制御部１２からの制御に基づいて音声信号（ナビゲーションに係る案内情報）をスピーカ８に出力する。１９は画像合成部を示し、地図描画部１３で描画された地図画像に、操作画面・マーク発生部１４で生成された各種マークや操作画面、誘導経路描画部１６で描画した誘導経路等を重ね合わせて表示部７に表示させる。
【００３７】
このように構成された車載用ナビゲーション装置１００においては、表示部７の手書き入力エリアに手書きで目的地などを入力する際に、自立航法センサ４を利用して車の振動量及び振動方向を計測し、制御部１２により振動量及び振動方向に応じて表示部７の手書き入力エリアを拡大し、或いは移動させることができる。これにより、手書き文字が入力エリアから極力はみ出さないようにして、車載用ナビゲーション装置１００に手書き文字情報を正確に入力し、かつ目的地などを迅速に設定することができる。
【００３８】
例えば、手書き入力の際に、縦方向の振動があった場合、手書き入力エリアを拡大し、或いは移動させないと、図６（ｂ）に示すように、手書き入力エリアから文字が大きくはみ出し、手書き文字情報を正確に入力できなくなる。このため、候補文字表示エリアには所望の候補文字が表示されないので、所望の候補文字が表示されるまで繰り返し手書き入力を続けなければならず、目的地などの設定が遅れてしまう。
【００３９】
（車載用ナビゲーション装置における手書き入力方法）
次に、本発明の実施形態に係る、車載用ナビゲーション装置における手書き入力方法の一例について図３乃至図５を参照して説明する。
【００４０】
図３は手書き入力処理について説明するフローチャートである。図４は、車の振動方向及び振動量に対する手書き入力エリアの拡大又は移動処理の一例を示す表である。図５（ａ）〜（ｃ）は、入力エリアの拡大又は移動処理が行われたときの表示画面の一例を示す図である。
【００４１】
なお、この実施形態では、複数の振動方向についてそれぞれ基準振動量は１つ設定され、計測された振動量が基準振動量を越えたとき、振動量の大きさにかかわらず、手書き入力エリアを振動方向に応じて所定の幅拡大し、又は、所定の距離移動させるものとする。また、「操作者」と明示された処理以外は、制御部１２が行う処理である。
【００４２】
この実施形態の手書き入力処理においては、図３に示すように、操作者により手書き入力を開始する信号が制御部１２に入力された後、最初のステップＳ１で、手書き入力エリアを初期設定し、設定された大きさ、位置で手書き入力エリアを表示部７に表示させる。
【００４３】
次のステップＳ２で、手書き入力中か否かを確認する。この実施形態では、複数の文字を入力するものとし、操作者が一文字を書き終えて終了信号を入力するまでを手書き入力中とし、操作者が一文字の入力の終了信号を入力してから、次の文字の入力の開始信号を入力するまでを手書き入力の中断中である、すなわち手書き入力中でないとする。
【００４４】
次のステップＳ３で、手書き入力中であれば、自立航法センサ４により車の振動量及び振動方向を計測する。
【００４５】
次いで、ステップＳ４で、振動量を基準振動量と比較し、振動量が基準振動量以下の場合、そのままの状態を維持し、操作者は手書き入力を続ける。この間に、繰り返し、振動量を計測し、基準振動量と比較する（Ｓ２→Ｓ３→Ｓ４→Ｓ２→・・）。
【００４６】
一方、ステップＳ４で、振動量が基準振動量を越えた場合、ステップＳ５で、既に入力エリアを同じ振動方向に拡大し又は移動させているかどうかを確認する。既に入力エリアを拡大し又は移動させている場合、入力エリアをそのままの状態に維持し、操作者は手書き入力を続ける。この間に、繰り返し、振動量を計測し、基準振動量と比較する（Ｓ２→Ｓ３→Ｓ４→Ｓ２→・・）。
【００４７】
一方、ステップＳ５で、同じ振動方向でまだ入力エリアを拡大し又は移動させていない場合、又は、前に計測された振動方向と異なる振動方向の場合、ステップＳ６で、対応する振動方向に入力エリアを拡大し、又は移動させる。この場合、右向き、左向き、上向き、下向きの揺れをそれぞれ異なる振動方向としてもよいし、左向きと右向きの揺れ同じ振動方向とし、上向きと下向きの揺れを同じ振動方向とし、かつ、左向き又は右向きの揺れと上向き又は下向きの揺れとを異なる振動方向としてもよい。
【００４８】
図４の表に、振動方向と、振動量と、手書き入力エリアの拡大又は移動処理との関係を例示する。ここでは、右向き、左向き、上向き、下向きの揺れに対してそれぞれ基準振動量を１つ設定している。基準振動量は、振動量が電圧で計測されるため、右向き及び上向きの揺れに対して例えば＋１Ｖに設定し、左向き及び下向きの揺れに対して例えば−１Ｖに設定している。「−」でも「＋」でも、絶対値が大きくなるほど揺れが大きいことを示す。
【００４９】
図４の表によれば、横方向の振動において、−１Ｖ（基準振動量）を負の大きい方に越える左向きの揺れに対して、入力エリアの右又は左の少なくともいずれかの側に入力エリアを所定の幅だけ拡大し、又は入力エリアの位置を所定の距離だけ移動させる。なお、加速度を伴う左向きの車の揺れに対しては、慣性により操作者が持つペンタブレットの先端は入力エリアに対して相対的に右側に移動するため、入力エリアを右側に拡大し又は移動させるとよい。あるいは、左向きの車の揺れに対しても入力エリアを左側に拡大してもよく、これにより、入力エリアが当初よりも広がるため入力エリア内に文字を書き易くなる。あるいは、振動は左右に揺れるものであり、左向きの車の揺れに対して予め入力エリアを左右両側に拡大しておくこともできる。以下、右、下、上向きの揺れについても同じことがいえる。
【００５０】
また、＋１Ｖ（基準振動量）を越える右向きの揺れに対しては、左又は右の少なくともいずれかの方向に入力エリアを所定の幅だけ拡大し、又は入力エリアの位置を所定の距離だけ移動させる。一方、−１Ｖ以上かつ＋１Ｖ以下では、入力エリアを拡大も移動もさせない。
【００５１】
縦方向の振動において、−１Ｖ（基準振動量）を負の大きい方に越える下向きの揺れに対して、上又は下の少なくともいずれかの側に入力エリアを所定の幅だけ拡大し、又は入力エリアの位置を所定の距離だけ移動させる。また、＋１Ｖ（基準振動量）を越える上向きの揺れに対して、下又は上の少なくともいずれかの側に入力エリアを所定の幅だけ拡大し、又は入力エリアの位置を所定の距離だけ移動させる。一方、−１Ｖ以上かつ＋１Ｖ以下では、入力エリアを拡大も移動もさせない。
【００５２】
図４の表にしたがって手書き入力エリアを所定の幅だけ拡大した場合の表示画面を、図５（ａ）〜（ｃ）に例示する。図５（ａ）では、横方向の振動（左右の振動のいずれか）に対して、入力エリアを左側に所定の幅だけ拡大し、図５（ｂ）では、縦方向の振動（上下の振動のいずれか）に対して、入力エリアを上側に所定の幅だけ拡大している。また、図５（ｃ）では、横方向の振動に対して、入力エリアを左側に所定の幅だけ拡大した後、前の横方向の振動と異なる縦方向の振動に対して入力エリアを上側に所定の幅だけ拡大している。
【００５３】
ステップＳ６の後、図５（ａ）〜（ｃ）に示すいずれかの状態で、操作者は入力エリアに手書き入力を続ける。この間に、繰り返し、振動量を計測し、基準振動量と比較する（Ｓ２→Ｓ３→Ｓ４→Ｓ２→・・）。
【００５４】
その繰り返しの間に、手書き入力が一文字分終了したら、操作者は表示パネル面の終了ボタン（不図示）を押し、終了信号を制御部１２に送信する。ステップＳ２で、手書き入力が一文字分終了した旨を確認したら、ステップＳ７で、現在入力エリアを拡大し又は移動させているかどうかを確認し、入力エリアを拡大し又は移動させている場合、候補文字表示エリアの候補文字が手書き入力部に隠れている恐れがあるため、ステップＳ８で、入力エリアを拡大前の大きさに縮小し、又は移動前の位置に復帰させる。次いで、ステップＳ９で、操作者は候補文字表示エリアの候補文字を選択する。一方、ステップＳ７で、入力エリアがこれまで拡大し又は移動させていない場合、入力エリアをそのままの状態に維持し、ステップＳ９で、操作者は候補文字を選択する。
【００５５】
次に、ステップＳ１０で、すべての文字が入力されたかどうかを確認し、すべての文字がまだ入力されていない場合、ステップＳ２で、操作者は新たな文字の入力を始める。
【００５６】
一方、手書き入力がすべての文字について終了したら、操作者は表示パネル面の終了ボタン（図示しない）を押し、終了信号を制御部１２に送信する。ステップＳ１０で、手書き入力がすべての文字について終了した旨を確認したら、目的地、及び目的地までに経由する道路名や経由地等を車載用ナビゲーション装置１００に設定する。
【００５７】
なお、図３のステップＳ５によって、入力エリアを一度振動方向に拡大し或いは移動させたら、同じ振動方向で振動量が基準振動量を越えても一文字の入力が終了するまで同じ振動方向には入力エリアを拡大し或いは移動させないようにしているが、ステップＳ５を省略し、振動量が基準振動量を越えるたびに逐次対応する振動方向に入力エリアを拡大し或いは移動させてもよい。
【００５８】
また、図４では、左、右、上、下の各振動方向に対してそれぞれ基準振動量を１つ設定し、振動量が基準振動量を越えた場合、振動量の大きさによらず入力エリアを所定の幅だけ拡大し、又は所定の距離だけ移動させているが、１つの振動方向に対して基準振動量を複数設定し、振動量が各基準振動量を越えたとき、基準振動量の大きさに対応して複数の幅のいずれかで入力エリアを拡大し、又は入力エリアの位置を複数の距離のいずれかで移動させることもできる。このとき、左向きと右向きの揺れ（上向きと下向きの揺れ）に対応する拡大幅が異なっており、かつ入力エリアの左右（上下）いずれか片側しか拡大できない場合、大きい方の拡大幅に設定するとよい。
【００５９】
また、図４では、右左（上下）の揺れに対してそれぞれ基準振動量を＋１Ｖ、−１Ｖに設定しているがこれに限られない。
【００６０】
以上のように、本発明の実施の形態に係る車載用ナビゲーション装置における手書き入力処理によれば、手書きで目的地、及び目的地までに経由する道路名や経由地等を入力する際に、車が振動したとき、振動量及び振動方向に応じて表示部の手書き入力エリアを拡大し、或いは移動させる。これにより、手書き文字が入力エリアからはみ出さないようにし、車載用ナビゲーション装置に手書き文字情報を正確に入力し、目的地などを迅速に設定することができる。
【符号の説明】
【００６１】
１…ＤＶＤドライブ、
２…操作部、
３…ＧＰＳ受信機、
４…自立航法センサ、
５…通信機、
６…ＶＩＣＳ受信機、
７…表示部、
８…スピーカ、
１０…車載用ナビゲーション装置本体、
１１…バッファメモリ、
１２…制御部、
１３…地図描画部、
１４…操作画面・マーク発生部、
１５…誘導経路記憶部、
１６…誘導経路描画部、
１７…記憶部、
１８…音声出力部、
１９…画像合成部、
２１…基準振動量記憶部、
２２…文字情報記憶部、
２３…振動量比較部、
２４…手書き入力エリア拡大・移動信号生成部、
２５…手書き入力エリア縮小・復帰信号生成部、
２６…文字情報取得部、
２７…候補文字抽出部、
２８…表示制御部、
２９…液晶表示パネル、
３０…タッチパネル、
１００…車載用ナビゲーション装置。
【図１】
0005461352.tif 000002
【図２】
0005461352.tif 000003
【図３】
0005461352.tif 000004
【図４】
0005461352.tif 000005
【図５】
0005461352.tif 000006
【図６】
0005461352.tif 000007